(57)【特許請求の範囲】
【請求項１】
本体ケースの開口を開閉する蓋体と、この蓋体の縁部に設けられたカール部に両端の枢支部が挿入されると共に、これら両枢支部間に側軸及び主軸からなるコ字状支持部が設けられ金属線材とを備え、
前記本体ケースの開口縁部には、金属線材のコ字状支持部のコーナ部分を挿入してそのコーナ部分を保持する一対のコーナ保持用袋部と、これら一対のコーナ保持用袋部間に配置されると共にコ字状支持部の主軸の両側に配置され、その主軸を係止させてコーナ保持用袋部に挿入されたコ字状支持部の抜け止めを行う第１及び第２の抜け止め用突部とを、本体ケースに一体形成してなり、
前記主軸の一側に配置された第１の抜け止め用突部は、前記コーナ保持用袋部の挿入方向に向かって高さが徐々に高くなる側面形状がクサビ型の突起で構成され、
前記主軸の他側に配置された第２の抜け止め用突部は、主軸の上面に対峙する上部片が形成されていることを特徴とする蓋体の支持構造。
【発明の詳細な説明】
【０００１】
【産業上の利用分野】
本発明は、蓋体を有する石油ファンヒータ等の暖房機に用いられる蓋体の支持構造に関する。
【０００２】
【従来の技術】
近年、石油ファンヒータ等の暖房機では、本体ケースが流線フォルムとなっているため、蓋体の形状も流線フォルムの本体ケースに合わせて曲面部分を有する形状となっており、平面部分が従来よりも狭くなっている。このように、平面部分の狭い蓋体に対応できる蓋体の支持構造として、例えば、特開平７ー３２４８２３号公報で開示されたものが知られている。
【０００３】
この従来構造のものは、蓋体の縁部に設けられたカール部に両端の枢支部が挿入されると共に、これら両枢支部間に側軸及び主軸からなるコ字状支持部が設けられ金属線材と、この金属線材のコ字状支持部を固定保持する合成樹脂製の固定部材とを備え、この固定部材を本体ケースの開口縁部にネジ止めする構成として、平面部分の狭い蓋体であっても良好な開閉操作が行えるようにしていた。
【０００４】
また、固定部材を金属板製として本体ケースの開口縁部にスポット溶接したものもあった。
【０００５】
【発明が解決しようとする課題】
しかしながら、上述した従来構成のものでは、金属線材を固定保持するための樹脂製や金属板製の固定部材を必要とするばかりでなく、固定部材を本体ケースの開口縁部にネジ止めしたり、スポット溶接するなどの面倒な作業を必要としていた。
【０００６】
本発明は上述の実情に鑑みてなされたものであり、平面部分が狭い蓋体であっても、良好な開閉操作が行えるようにしつつ、部品点数の削減を図ると共に、組立作業性を向上させることが可能な蓋体の支持構造を提供できるようにすることを目的としている。
【０００７】
【課題を解決するための手段】
請求項１に記載の本発明では、本体ケースの開口を開閉する蓋体と、この蓋体の縁部に設けられたカール部に両端の枢支部が挿入されると共に、これら両枢支部間に側軸及び主軸からなるコ字状支持部が設けられ金属線材とを備え、前記本体ケースの開口縁部には、金属線材のコ字状支持部のコーナ部分を挿入してそのコーナ部分を保持する一対のコーナ保持用袋部と、これら一対のコーナ保持用袋部間に配置されると共にコ字状支持部の主軸の両側に配置され、その主軸を係止させてコーナ保持用袋部に挿入されたコ字状支持部の抜け止めを行う第１及び第２の抜け止め用突部とを、本体ケースに一体形成してなり、前記主軸の一側に配置された第１の抜け止め用突部は、前記コーナ保持用袋部の挿入方向に向かって高さが徐々に高くなる側面形状がクサビ型の突起で構成され、前記主軸の他側に配置された第２の抜け止め用突部は、主軸の上面に対峙する上部片が形成されている構成である。
【００１０】
【発明の実施の形態】
以下、本発明の一実施形態例を図１ないし図５に基づき説明する。図において、本体ケース１の天板２のコーナ部には段落部３が設けてあり、この段落部３には給油タンク（図示せず）を本体ケース１内に出し入れする開口４が設けられ、また、天板２には、段落部３を含んで開口４を開閉する蓋体５が装着され、この蓋体５の周縁の略全周はカールされている。６、６は蓋体５の一側縁部に設けられた軸受部分となるカール部である。
【００１１】
７は前記蓋体５を枢支するため金属線材であり、この金属線材７には径が約１．４ｍｍの硬鋼線が用いられ、図に示すように、前記蓋体５のカール部６、６に挿入される両端の枢支部７Ａ、７Ａと、これら枢支部７Ａ、７Ａ間に左右両側軸９、９及び主軸１０からなるコ字状支持部７Ｂとを折曲形成しているなるものである。
【００１２】
また、前記開口４の縁部の段落部３には、前記金属線材７におけるコ字状支持部７Ｂの左右のコーナ部分ア、イをそれぞれ挿入してそれらコーナ部分ア、イを保持する一対のコーナ保持用袋部１２、１３と、これらコーナ保持用袋部１２、１３間に配置されると共にコ字状支持部７Ｂの主軸１０の片側（図２では左側）に互いに所定間隔を存して配置され、前記主軸１０を係止させてコーナ保持用袋部１２、１３にコーナ部分ア、イが挿入された状態のコ字状支持部７Ｂの抜け止め（図２において左側への移動を阻止）を行う複数の第１の抜け止め用突部１４、１５と、これら第１の抜け止め用突部１４、１５の中間に位置して配置されると共にコ字状支持部７Ｂの主軸１０の別の片側（図２では右側）に配置され、前記主軸１０の略中央を突き当てる第２の抜け止め用突部１６とを、プレス加工により天板２と一体成形している。
【００１３】
前記コーナ保持用袋部１２、１３は、平面視略三角形状を呈しており、互いに内向きの１辺側が開放されている。前記第１の抜け止め用突部１４、１５は、図３に示すように、コーナ保持用袋部１２、１３の挿入方向に向かって高さか徐々に高くなる側面形状がクサビ型の突起にて構成されている。また、前記第２の抜け止め用突部１６は、図４に示すように、前記主軸１０の上面に対峙する上部片１６Ａを有する逆Ｌ字状の切り起こし片にて構成されている。
【００１４】
上記構成において、図５に示すように、金属線材７の両端の枢支部７Ａ、７Ａを予じめ蓋体５のカール部６、６に挿入して、金属線材７を蓋体５に取り付けておく。そして、蓋体５の装着時に、前記コ字状支持部７Ｂの左右のコーナ部分ア、イをそれぞれコーナ保持用袋部１２、１３に挿入させながら、主軸１０が第１の抜け止め用突部１４、１５を乗り越えるようにすると、図３に示すように、主軸１０は第１の抜け止め用突部１４、１５の垂直面側に係止される。次に、主軸１０の中央部分を図２の２点鎖線で示すように湾曲させて第２の抜け止め用突部１６の上部片１６Ａの下へ介挿させる。この状態で、前記主軸１０は第１の抜け止め用突部１４、１５と第２の第２の抜け止め用突部１６の両者に係止され、天板２への蓋板５の取り付けが完了したことになる。
【００１５】
上述の一実施形態例によれば、天板２の開口４を開閉する蓋体５と、この蓋体５の縁部に設けられたカール部６、６に両端の枢支部７Ａ、７Ａが挿入されると共に、これら両枢支部７Ａ、７Ａ間に左右両側軸９、９及び主軸１０からなるコ字状支持部７Ｂとを折曲形成してなる金属線材７とを備えており、天板２の開口４の縁部の段落部３には、前記金属線材７におけるコ字状支持部７Ｂの左右のコーナ部分ア、イをそれぞれ挿入してそれらコーナ部分ア、イを保持する一対のコーナ保持用袋部１２、１３と、これらコーナ保持用袋部１２、１３間に配置されると共にコ字状支持部７Ｂの主軸１０の片側に互いに所定間隔を存して配置され、前記主軸１０を係止させてコーナ保持用袋部１２、１３にコーナ部分ア、イが挿入された状態のコ字状支持部７Ｂの抜け止めを行う複数の第１の抜け止め用突部１４、１５と、これら第１の抜け止め用突部１４、１５の中間に位置して配置されると共にコ字状支持部７Ｂの主軸１０の別の片側に配置され、前記主軸１０の略中央を突き当てる第２の抜け止め用突部１６とを、天板２と一体成形している構成であるから、蓋体５の枢支部分を蓋体５の幅いっぱいとする必要がなく、従来と同様に、平面部分が狭い蓋体であっても、良好な開閉操作が行えるばかりでなく、金属線材７を固定保持するための格別の固定部品が不要となり、従来必要としていた固定部品のネジ止め作業やスポット溶接作業も必要となせる。
【００１６】
また、前記第１の抜け止め用突部１４、１５が、コーナ保持用袋部１２、１３の挿入方向に向かって高さか徐々に高くなる側面形状がクサビ型の突起にて構成されているので、コ字状支持部７Ｂの両コーナ部分ア、イをコーナ保持用袋部１２、１３に挿入する時に、主軸１０が第１の抜け止め用突部１４、１５を楽に乗り越え、しかも、乗り越えた後には、主軸１０の係止状態が容易に外れないようにできる。
【００１７】
また、前記第２の抜け止め用突部１６が、主軸１０の上面に対峙する上部片１６Ａを設けた逆Ｌ字状の切り起こし片にて構成されているので、主軸１０の持ち上がりを上部片１６Ａで阻止でき、そのため、主軸１０の係止状態がより確実に維持され、コーナ部分ア、イがコーナ保持用袋部１２、１３から外れるのを確実に防止でき、特に、子供の悪戯等で金属線材７が天板２から外される心配がない。
【００２２】
【発明の効果】
請求項１に記載の本発明によれば、本体ケースの開口を開閉する蓋体と、この蓋体の縁部に設けられたカール部に両端の枢支部が挿入されると共に、これら両枢支部間に側軸及び主軸からなるコ字状支持部が設けられ金属線材とを備え、前記本体ケースの開口縁部には、金属線材のコ字状支持部のコーナ部分を挿入してそのコーナ部分を保持する一対のコーナ保持用袋部と、これら一対のコーナ保持用袋部間に配置されると共にコ字状支持部の主軸の両側に配置され、その主軸を係止させてコーナ保持用袋部に挿入されたコ字状支持部の抜け止めを行う第１及び第２の抜け止め用突部とを、本体ケースに一体形成してなり、前記主軸の一側に配置された第１の抜け止め用突部は、前記コーナ保持用袋部の挿入方向に向かって高さが徐々に高くなる側面形状がクサビ型の突起で構成され、前記主軸の他側に配置された第２の抜け止め用突部は、主軸の上面に対峙する上部片が形成されている構成であるから、蓋体の枢支部分を蓋体の幅いっぱいとする必要がなく、平面部分が狭い蓋体であっても、良好な開閉操作が行えるのはもちろんのこと、金属線材を固定保持するための格別の固定部品が不要となり、そのため、固定部品のネジ止め作業やスポット溶接作業も必要となせ、部品点数の削減、組付作業性の向上が図れ、生産コストを低減できる。
【００２３】
また、前記主軸の一側に配置された第１の抜け止め用突部は、前記コーナ保持用袋部の挿入方向に向かって高さが徐々に高くなる側面形状がクサビ型の突起で構成されているので、金属線材をコーナ保持用袋部に挿入する際、コ字状支持部の主軸が抜け止め用突部を楽に乗り越え、乗り越えた後には、主軸の係止状態が容易に外れないようにできる。
【００２４】
さらにまた、前記主軸の他側に配置された第２の抜け止め用突部は、主軸の上面に対峙する上部片が形成されているので、主軸の持ち上がりを上部片で阻止することが可能となり、そのため、主軸の係止状態がより確実に保たれ、金属線材のコーナ保持用袋部からの外れを確実に阻止でき、特に、子供の悪戯等による金属線材の外れを確実に防止できる。
【図面の簡単な説明】
【図１】  本発明の一実施形態例を示す蓋体の支持構造を用いた暖房機の要部斜視図である。
【図２】  同じく要部平面図である。
【図３】  同じく図２のＡ-Ａ断面による拡大断面図である。
【図４】  同じく図２のＢ-Ｂ断面による拡大断面図である。
【図５】  同じく要部分解斜視図である。
【符号の説明】
１      本体ケース
３      段落部（開口縁部）
４      開口
５      蓋体
６      カール部
７      金属線材
７Ａ    枢支部
７Ｂ    コ字状支持部
９      側軸
１０      主軸
１２      コーナ保持用袋部
１３      コーナ保持用袋部
１４      第１の抜け止め用突部
１５      第１の抜け止め用突部
１６      第２の抜け止め用突部
１６Ａ    上部片
２０      抜け止め用突部
２０Ａ    上部片
【図１】
0003806504.tif 000002
【図２】
0003806504.tif 000003
【図３】
0003806504.tif 000004
【図４】
0003806504.tif 000005
【図５】
0003806504.tif 000006